(57)【特許請求の範囲】
【請求項１】
筒状の本体部内に複数の光学素子が配置され前記本体部の両端部がそれぞれ端末部材で閉塞された、自身の複数種類の異常状態を検出可能な多光軸光電センサユニットを備えた多光軸光電センサにおいて、
前記多光軸光電センサユニットには、
自身の複数種類の異常状態を検出可能な異常検出手段と、
前記多光軸光電センサユニットを特定するための識別情報を記憶する識別情報記憶手段とが設けられ、
前記異常状態の情報と前記識別情報とを関連付けて取得する異常情報取得手段と、
樹脂製よりなる前記端末部材に設けられ、前記異常情報取得手段が取得した情報を無線で外部に送信する無線送信手段と、
自身に発生する異常を外部に報知する報知手段とを備え、
前記多光軸光電センサユニットが前記端末部材を介して複数直列接続されてなり、
前記識別情報は前記多光軸光電センサユニットの直列接続の接続位置を含む、
ことを特徴とする多光軸光電センサ。
【請求項２】
請求項１に記載の多光軸光電センサにおいて、
前記無線送信手段は、複数直列接続された前記多光軸光電センサユニットの終端部となる端末部材に設けられていることを特徴とする多光軸光電センサ。
【請求項３】
請求項１又は２に記載の多光軸光電センサにおいて、
前記無線送信手段は、送信する信号の周波数帯域がＧＨｚオーダの高周波周波数帯域である、ことを特徴とする多光軸光電センサ。
【請求項４】
請求項１〜３のうちの何れか１項に記載の多光軸光電センサにおいて、
無線の信号を受信する無線受信手段を備え、
前記無線受信手段が外部から要求信号を受信した場合に、前記異常情報取得手段が取得した情報を送信する、
ことを特徴とする多光軸光電センサ。
【請求項５】
筒状の本体部内に複数の光学素子が配置され前記本体部の両端部がそれぞれ端末部材で閉塞された、自身の複数種類の異常状態を検出可能な多光軸光電センサユニットを備えた多光軸光電センサと、前記多光軸光電センサユニットの異常状態の検出に基づいて前記多光軸光電センサの異常を特定する異常特定装置とを備えてなる多光軸光電センサシステムにおいて、
前記多光軸光電センサユニットには、
自身の複数種類の異常状態を検出可能な異常検出手段と、
前記多光軸光電センサユニットを特定するための識別情報を記憶する識別情報記憶手段とが設けられ、
前記異常状態の情報と前記識別情報とを関連付けて取得する異常情報取得手段と、
樹脂製よりなる前記端末部材に設けられ、前記異常情報取得手段が取得した情報を外部に無線で送信する無線送信手段と、
自身に発生する異常を外部に報知する報知手段と、
を備え、
前記異常特定装置は、
前記無線送信手段が送信した情報を受信する受信手段と、
前記多光軸光電センサに発生する異常を特定するためのエラー情報を前記多光軸光電センサユニットの前記異常状態の情報に関連付けて記憶するエラー情報記憶手段と、
前記受信手段が受信した前記異常状態の情報に基づいて前記エラー情報記憶手段から前記エラー情報を読み出しその読み出したエラー情報を外部に報知する異常報知手段とを備え、
前記多光軸光電センサユニットが前記端末部材を介して複数直列接続されてなり、
前記識別情報は前記多光軸光電センサユニットの直列接続の接続位置を含み、
前記異常特定装置は、前記エラー情報とともに前記位置情報を報知する、
ことを特徴とする多光軸光電センサシステム。
【請求項６】
請求項５に記載の多光軸光電センサシステムにおいて、
前記異常特定装置は、要求信号を送信する送信手段を備え、
前記多光軸光電センサユニットは、無線の信号を受信する無線受信手段を備え、
前記無線送信手段は、前記無線受信手段が前記異常特定装置から要求信号を受信した場合に、前記異常情報取得手段が取得した情報を送信する、
ことを特徴とする多光軸光電センサシステム。
【請求項７】
筒状の本体部内に複数の光学素子が配置され前記本体部の両端部がそれぞれ端末部材で閉塞された、自身の複数種類の異常状態を検出可能な多光軸光電センサユニットを備えた多光軸光電センサと、前記多光軸光電センサユニットの異常状態の検出に基づいて前記多光軸光電センサの異常を特定する異常特定装置とを備えてなる多光軸光電センサシステムにおいて、
前記多光軸光電センサユニットには、
自身の複数種類の異常状態を検出可能な異常検出手段と、
前記多光軸光電センサユニットを特定するための識別情報を記憶する識別情報記憶手段とが設けられ、
前記異常状態の情報と前記識別情報とを関連付けて取得する異常情報取得手段と、
樹脂製よりなる前記端末部材に設けられ、前記異常情報取得手段が取得した情報を外部に無線で送信する無線送信手段と、
自身に発生する異常を外部に報知する報知手段と、
を備え、
前記異常特定装置は、
前記無線送信手段が送信した情報を受信する受信手段と、
前記多光軸光電センサに発生する異常を特定するためのエラー情報を前記多光軸光電センサユニットの前記異常状態の情報に関連付けて記憶するエラー情報記憶手段と、
前記受信手段が受信した前記異常状態の情報に基づいて前記エラー情報記憶手段から前記エラー情報を読み出しその読み出したエラー情報を外部に報知する異常報知手段とを備え、
前記異常特定装置は、要求信号を送信する送信手段を備え、
前記多光軸光電センサユニットは、無線の信号を受信する無線受信手段を備え、
前記無線送信手段は、前記無線受信手段が前記異常特定装置から要求信号を受信した場合に、前記異常情報取得手段が取得した情報を送信する、
ことを特徴とする多光軸光電センサシステム。
【発明の詳細な説明】
【技術分野】
【０００１】
本発明は、自身に発生する複数種類の異常状態を検出可能な多光軸光電センサ及び多光軸光電センサシステムに関する。
【背景技術】
【０００２】
従来、検出エリアへの物体の侵入や特定エリア内の物体の存在を検出する多光軸光電センサとして、例えば特許文献１に記載されているようなものがある。この多光軸光電センサは、複数の投光素子を備えた投光部と複数の受光素子を備えた受光部とが対向するように配設され、投光部と受光部との間に検出エリアを形成するようになっている。
【０００３】
また、この多光軸光電センサには、二重投光や受光量過多による過電流等、自身に発生する複数種類の異常を検出するエラー検出回路と、それら異常状態に応じたコード（数値）を表示するエラー表示灯とが設けられている。作業者は、エラー表示灯の表示内容を確認し、表示内容に基づいて対応表を参照することにより、その表示内容が示す異常状態（異常内容）と異常箇所を特定することができる。
【特許文献１】特開２００６−２７９６７６号公報
【発明の開示】
【発明が解決しようとする課題】
【０００４】
しかしながら、上述した異常箇所特定方法であると、作業者は目視によりエラー表示灯を読み取り、その表示内容に基づいて対応表でエラー内容を確認する必要があるため、異常箇所を特定するための作業が煩雑であった。また、作業者がエラー表示灯や対応表を読み間違える場合が懸念されるため、異常箇所の特定の確実性という点では改善の余地があった。
【０００５】
そこで、多光軸光電センサとエラー内容を表示する表示装置とをケーブル等の通信線にて接続し、多光軸光電センサで検出された情報を表示装置に送信しその情報に基づいてエラー内容を表示させることが考えられる。しかし、多光軸光電センサと表示装置との間に専用の配線が必要となるため構成が煩雑になるという問題があり、また、ケーブルの長さにより制約を受けるため構成部材の配設が困難になるという問題があった。
【０００６】
本発明は、こうした実情に鑑みてなされたものであって、その目的は、簡易な構成で、動作異常を容易に且つ確実に特定することが可能な多光軸光電センサ及び多光軸光電センサシステムを提供することにある。
【課題を解決するための手段】
【０００７】
上記課題を解決するために、請求項１に記載の発明は、筒状の本体部内に複数の光学素子が配置され前記本体部の両端部がそれぞれ端末部材で閉塞された、自身の複数種類の異常状態を検出可能な多光軸光電センサユニットを備えた多光軸光電センサにおいて、前記多光軸光電センサユニットには、自身の複数種類の異常状態を検出可能な異常検出手段と、前記多光軸光電センサユニットを特定するための識別情報を記憶する識別情報記憶手段とが設けられ、前記異常状態の情報と前記識別情報とを関連付けて取得する異常情報取得手段と、樹脂製よりなる前記端末部材に設けられ、前記異常情報取得手段が取得した情報を無線で外部に送信する無線送信手段と、自身に発生する異常を外部に報知する報知手段とを備え、前記多光軸光電センサユニットが前記端末部材を介して複数直列接続されてなり、前記識別情報は前記多光軸光電センサユニットの直列接続の接続位置を含む、ものである。
【０００８】
同構成によれば、多光軸光電センサを構成し樹脂製よりなる端末部材に、多光軸光電センサの異常状態と識別情報とを関連付けて外部に送信する無線送信手段が設けられているため、特別な配線をすることなく多光軸光電センサに生じた異常状態の情報が外部に送信される。よって、簡易な構成で、多光軸光電センサの動作異常を容易に且つ確実に特定することが可能となる。ユニットは自身に発生する異常を外部に報知する報知手段を備え、識別情報は、多光軸光電センサユニットの接続位置と種類とを特定するため少なくとも含むため、異常が発生したユニットを容易に特定することができる。
【００１０】
同構成によれば、多光軸光電センサユニットが複数直列接続され、識別情報には多光軸光電センサの直列接続の接続位置が含まれるため、異常の種類を特定することが容易であるとともに、異常が発生した多光軸光電センサユニットを特定することが容易になる。
【００１１】
請求項２に記載の発明は、請求項１に記載の多光軸光電センサにおいて、前記無線送信手段は、複数直列接続された前記多光軸光電センサユニットの終端部となる端末部材に設けられている。
【００１２】
同構成によれば、無線送信手段は、複数直列接続された多光軸光電センサユニットの終端部となる端末部材に設けられるため、配線がなされずスペースが確保された部分に設けられることとなり効率がよい。
【００１３】
請求項３に記載の発明は、請求項１又は２に記載の多光軸光電センサにおいて、前記無線送信手段は、送信する信号の周波数帯域がＧＨｚオーダの高周波周波数帯域である。
【００１４】
同構成によれば、無線送信を高周波周波数帯の信号を用いることにより、低い出力によって情報を送信することができる。また、多光軸光電センサユニットにおける検出動作のタイミングと無線通信のタイミングとをずらす等の対策を行うことなく多光軸光電センサユニットにおける検出動作の誤動作を抑えることができる。
【００１５】
請求項４に記載の発明は、請求項１〜３のうちの何れか１項に記載の多光軸光電センサにおいて、無線の信号を受信する無線受信手段を備え、前記無線受信手段が外部から要求信号を受信した場合に、前記異常情報取得手段が取得した情報を送信する。
【００１６】
複数の多光軸光電センサを使用している場合、それぞれの無線送信手段が同時に異常状態の情報を同時に送信すると、それらを受信する装置では、それぞれを区別して受け取ることができないため、正常な通信を行うことができない。同構成によれば、上位の装置から各無線送信手段に対して順次要求信号を送信することにより、複数の多光軸光電センサのそれぞれに発生する異常に対応する情報を確実に受け取ることができるようになる。
【００１７】
請求項５、７に記載の発明は、筒状の本体部内に複数の光学素子が配置され前記本体部の両端部がそれぞれ端末部材で閉塞された、自身の複数種類の異常状態を検出可能な多光軸光電センサユニットを備えた多光軸光電センサと、前記多光軸光電センサユニットの異常状態の検出に基づいて前記多光軸光電センサの異常を特定する異常特定装置とを備えてなる多光軸光電センサシステムにおいて、前記多光軸光電センサユニットには、自身の複数種類の異常状態を検出可能な異常検出手段と、前記多光軸光電センサユニットを特定するための識別情報を記憶する識別情報記憶手段とが設けられ、前記異常状態の情報と前記識別情報とを関連付けて取得する異常情報取得手段と、樹脂製よりなる前記端末部材に設けられ、前記異常情報取得手段が取得した情報を外部に無線で送信する無線送信手段と、自身に発生する異常を外部に報知する報知手段と、を備え、前記異常特定装置は、前記無線送信手段が送信した情報を受信する受信手段と、前記多光軸光電センサに発生する異常を特定するためのエラー情報を前記多光軸光電センサユニットの前記異常状態の情報に関連付けて記憶するエラー情報記憶手段と、前記受信手段が受信した前記異常状態の情報に基づいて前記エラー情報記憶手段から前記エラー情報を読み出しその読み出したエラー情報を外部に報知する異常報知手段とを備えた。
【００１８】
同構成によれば、多光軸光電センサを構成し樹脂製よりなる端末部材に、多光軸光電センサの異常状態と識別情報とを関連付けて外部に送信する無線送信手段が設けられているため、特別な配線をすることなく多光軸光電センサに生じた異常状態の情報を外部に送信することができる。そして、無線送信手段から送信された情報に基づいて、異常特定装置において多光軸光電センサの異常情報が特定され、その内容が外部に報知される。よって、簡易な構成で、多光軸光電センサの動作異常を容易に且つ確実に特定することが可能となる。ユニットは自身に発生する異常を外部に報知する報知手段を備え、識別情報は、多光軸光電センサユニットの接続位置と種類とを特定するため少なくとも含むため、異常が発生したユニットを容易に特定することができる。
【００１９】
とくに、請求項５に記載の発明は、前記多光軸光電センサユニットが前記端末部材を介して複数直列接続されてなり、前記識別情報は前記多光軸光電センサユニットの直列接続の接続位置を含み、前記異常特定装置は、前記エラー情報とともに前記位置情報を報知するものである。
【００２０】
同構成によれば、多光軸光電センサユニットが複数直列接続され、識別情報には多光軸光電センサの直列接続の接続位置が含まれるため、異常の種類を特定することが容易であるとともに、異常が発生した多光軸光電センサユニットを特定することが容易になる。
【００２１】
とくに、請求項７に記載の発明、又は請求項６に記載の発明は、前記異常特定装置は、要求信号を送信する送信手段を備え、前記多光軸光電センサユニットは、無線の信号を受信する無線受信手段を備え、前記無線送信手段は、前記無線受信手段が前記異常特定装置から要求信号を受信した場合に、前記異常情報取得手段が取得した情報を送信するようにした。
【００２２】
複数の多光軸光電センサを使用している場合、それぞれの無線送信手段が同時に異常状態の情報を同時に送信すると、それらを受信する装置では、それぞれを区別して受け取ることができないため、正常な通信を行うことができない。同構成によれば、異常特定装置から各無線送信手段に対して順次要求信号を送信することにより、複数の多光軸光電センサのそれぞれに発生する異常に対応する情報を確実に受け取ることができるようになる。
【発明の効果】
【００２９】
従って、上記記載の発明によれば、簡易な構成で、多光軸光電センサの動作異常を容易に且つ確実に特定することが可能となる。
【発明を実施するための最良の形態】
【００３０】
以下、本発明を具体化した一実施の形態を図面に従って説明する。
図１に示すように、本実施の形態にかかる多光軸光電センサシステム１は、多光軸光電センサ２にて特定の検出エリアに対する物体の侵入検出や検出エリア内における物体の存在検出を行うとともに、多光軸光電センサ２に発生する複数種類の異常状態を検出するとともに、その異常を異常特定装置３において特定可能に構成されている。
【００３１】
多光軸光電センサ２の投光器１０及び受光器２０は対向配置され、投光器１０及び受光器２０はそれぞれケーブル１０ａ，２０ａを介してコントローラ３０に接続されている。
投光器１０は、ケーブル１０ｂにより直列接続された複数の多光軸光電センサユニットとしての投光ユニット１１ａ〜１１ｃにより構成されている。各投光ユニット１１ａ，１１ｃの本体部１２は筒状に形成された金属製の本体ケース内に電気回路を収容して構成されている。第１投光ユニット１１ａの両端開放部は、接続のための樹脂製よりなる端末部材としてのキャップ１３ａ，１３ｂにより閉塞されている。そして、第１投光ユニット１１ａは、第１のキャップ１３ａに接続されたケーブル１０ａを介してコントローラ３０に接続され、第２のキャップ１３ｂに接続されたケーブル１０ｂを介して第２投光ユニット１１ｂに接続されている。
【００３２】
第２投光ユニット１１ｂの本体部１２は、第１投光ユニット１１ａと同様に、両端開放部がキャップ１３ａ，１３ｂにより閉塞されている。そして、第２投光ユニット１１ｂは、第１のキャップ１３ａに接続されたケーブル１０ｂを介して第１投光ユニット１１ａに接続され、第２のキャップ１３ｂに接続されたケーブル１０ｂを介して第３投光ユニット１１ｃと接続されている。
【００３３】
第３投光ユニット１１ｃの本体部１２は、第１，第２投光ユニット１１ａ，１１ｂと同様に、両端開放部がキャップ１３ａ，１３ｃにより閉塞されている。第１のキャップ１３ａは、上記と同様に接続のためのものであり、ケーブル１０ｂを介して第２投光ユニット１１ｂと第３投光ユニット１１ｃとが接続されている。第３のキャップ１３ｃは、本体部１２の開放部を閉塞する機能を有するものである。
【００３４】
ケーブル１０ａ，１０ｂは、コントローラ３０、各投光ユニット１１ａ〜１１ｃと着脱可能に構成されており、投光器１０を構成する投光ユニット１１ａ〜１１ｃの数（接続数）を本実施の形態では１台〜３台に変更することが可能となっている。
【００３５】
各投光ユニット１１ａ〜１１ｃの本体部１２内には、それぞれ発光ダイオード（ＬＥＤ）よりなる４つの光学素子としての投光素子１４が本体部１２の長手方向（図１中、上下方向）に等間隔で一列に配されている。また、各投光ユニット１１ａ〜１１ｃの本体部１２には、報知手段としてのエラー表示灯１５がそれぞれ設けられている。
【００３６】
受光器２０は、ケーブル２０ｂにより直列接続された複数の多光軸光電センサユニットとしての受光ユニット２１ａ〜２１ｃにより構成されている。各受光ユニット２１ａ〜２１ｃの本体部２２は、それぞれ筒状に形成されている。第１受光ユニット２１ａの両端開放部は、接続のための端末部材としてのキャップ２３ａ，２３ｂにより閉塞されている。そして、第１受光ユニット２１ａは、第１のキャップ２３ａに接続されたケーブル２０ａを介してコントローラ３０に接続され、第２のキャップ２３ｂに接続されたケーブル２０ｂを介して第２受光ユニット２１ｂに接続されている。
【００３７】
第２受光ユニット２１ｂの本体部２２は、第１受光ユニット２１ａと同様に、両端開放部がキャップ２３ａ，２３ｂにより閉塞されている。そして、第２受光ユニット２１ｂは、第１のキャップ２３ａに接続されたケーブル２０ｂを介して第１受光ユニット２１ａに接続され、第２のキャップ２３ｂに接続されたケーブル２０ｂを介して第３受光ユニット２１ｃと接続されている。
【００３８】
第３受光ユニット２１ｃの本体部２２は、第１，第２受光ユニット２１ａ，２１ｂと同様に、両端開放部がキャップ２３ａ，２３ｃにより閉塞されている。第１のキャップ２３ａは、上記と同様に接続のためのものであり、ケーブル２０ｂを介して第２受光ユニット２１ｂと第３受光ユニット２１ｃとが接続されている。第３のキャップ２３ｃは、本体部２２の開放部を閉塞する機能を有するものである。
【００３９】
ケーブル２０ａ，２０ｂは、コントローラ３０、各受光ユニット２１ａ〜２１ｃと着脱可能に構成されており、受光器２０を構成する受光ユニット２１ａ〜２１ｃの数（接続数）を本実施の形態では１台〜３台に変更することが可能となっている。
【００４０】
各受光ユニット２１ａ〜２１ｃの本体部２２内には、それぞれフォトダイオード（ＰＤ）よりなる４つの光学素子としての受光素子２４が本体部２２の長手方向（図１中、上下方向）に等間隔で一列に配されている。また、各受光ユニット２１ａ〜２１ｃの本体部２２には、エラー表示灯２５がそれぞれ設けられている。
【００４１】
投光器１０に配された各投光素子１４と受光器２０に配された各受光素子２４とは、それぞれ同じ順位に配された素子同士が互いに正規の相手方となる。そして、本実施の形態では、１２個の投光素子１４と１２個の受光素子２４とにより、コントローラ３０側からの順次時分割の投光に基づく１２本の光軸Ｌにて投光器１０と受光器２０との間に所定範囲の検出エリアが形成される。受光器２０は、この検出エリアに被検出体が侵入する、又は検出エリア内に被検出体が存在すると、投光器１０から受光器２０へと向かう光が遮断されるため、その旨をコントローラ３０に出力するようになっている。
【００４２】
また、本実施の形態では、直列接続された受光ユニット２１ａ〜２１ｃにおいて、終端部となる第３受光ユニット２１ｃの末端側のキャップ２３ｃに無線通信回路４が設けられている。無線通信回路４は、信号を送信する送信機能と、信号を受信する受信機能とを有している。つまり、無線通信回路４は、無線送信手段及び無線受信手段を構成する。多光軸光電センサ２は、異常状態を検出すると、その異常状態に基づく情報を無線通信回路４から外部に送信する。
【００４３】
尚、本実施形態において、前記無線通信回路４は、送信する信号の周波数帯域がＧＨｚオーダの高周波周波数帯域の信号により異常状態に基づく情報を送信するように構成されている。送信信号の周波数帯域を低くすると、送信する信号強度を高くする必要があり、多くの電力を送信に使用しなければならない。本実施形態のように、高周波周波数帯の信号を用いることにより、低い出力によって情報を送信することができる。また、低い周波数帯域の信号を用いる場合、各ユニット１１ａ〜１１ｃ，２１ａ〜２１ｃにおける検出動作が誤動作を起こす場合があり、各ユニット１１ａ〜１１ｃ，２１ａ〜２１ｃにおける検出動作のタイミングと無線通信のタイミングとをずらす等の対策を行う必要がある。このため、本実施形態のように、高周波周波数帯の信号を用いることにより、上記の対策を行うことなく多光軸光電センサユニットにおける検出動作の誤動作を抑えることができる。
【００４４】
コントローラ３０は、ＣＰＵなどを備え、多光軸光電センサ２を統括的に制御する。コントローラ３０は、前記投光器１０及び受光器２０にスタートパルス信号を出力する。投光器１０及び受光器２０は、コントローラ３０から出力されたスタートパルス信号に基づいて前記投光素子１４若しくは受光素子２４の動作を開始する。また、コントローラ３０は、投光器１０及び受光器２０にクロックパルス信号を出力する。投光器１０若しくは受光器２０は、コントローラ３０から出力されたクロックパルス信号に基づいて前記投光素子１４若しくは受光素子２４を動作させる。なお、本実施の形態では、コントローラ３０にてスタートパルス信号の同期信号を生成し投光器１０及び受光器２０に出力する構成となっているが、例えば投光器１０（後述する投光制御回路１６（図２参照））若しくは受光器２０（後述する受光制御回路２６）にて同期信号を生成し他方側へ出力する構成としてもよい。なお、この場合、投光器１０及び受光器２０を同期線により接続し、投光器１０若しくは受光器２０からスタートパルス信号及びクロックパルス信号が出力されるようにしてもよい。
【００４５】
図２に示すように、投光器１０の第１投光ユニット１１ａには、前記投光素子１４を制御する投光制御回路１６が設けられている。投光制御回路１６は、前記コントローラ３０に接続されており、コントローラ３０から出力されるクロックパルス信号に同期した駆動信号を出力する。
【００４６】
各投光ユニット１１ａ〜１１ｃには、各投光ユニット１１ａ〜１１ｃにそれぞれ配された４つの投光素子１４に接続される４つのスイッチ素子と、それらスイッチ素子に接続された１つのシフトレジスタとを備えた投光回路１７が設けられている。各投光回路１７は、それぞれ各投光ユニット１１ａ〜１１ｃのキャップ１３ａ〜１３ｃに設けられた接続部においてケーブル１０ｂを介して電気的に接続されている。第１投光ユニット１１ａの投光回路１７は前記投光制御回路１６に接続されており、各投光ユニット１１ａ〜１１ｃの投光回路１７は第１投光ユニット１１ａの投光制御回路１６に電気的に接続されている。
【００４７】
投光制御回路１６から所定のスイッチ素子をオンさせるための駆動信号が順次出力されると、各投光回路１７は、駆動信号に基づいて作動し、例えば投光器１０のコントローラ３０側の投光素子１４から反対側の投光素子１４へと順次に駆動信号を出力するといった動作を短い周期で繰り返す。これにより、投光器１０のコントローラ３０側の投光素子１４から順次に前記クロックパルス信号に同期した光信号が時分割で照射される。
【００４８】
受光器２０の第１受光ユニット２１ａには、前記受光素子２４を制御する受光制御回路２６が設けられている。受光制御回路２６は、前記コントローラ３０に接続されており、コントローラ３０から出力されるクロックパルス信号に同期した駆動信号を出力する。
【００４９】
各受光ユニット２１ａ〜２１ｃには、各受光ユニット２１ａ〜２１ｃにそれぞれ配された４つの受光素子２４に接続される４つのスイッチ素子と、それらスイッチ素子に接続された１つのシフトレジスタとを備えた受光回路２７が設けられている。各受光回路２７は、それぞれ各受光ユニット２１ａ〜２１ｃのキャップ２３ａ〜２３ｃに設けられた接続部において直列接続用ケーブル２０ｂを介して電気的に接続されている。第１受光ユニット２１ａの受光回路２７は前記受光制御回路２６に接続されており、各受光ユニット２１ａ〜２１ｃの受光回路２７は第１受光ユニット２１ａの受光制御回路２６に電気的に接続されている。
【００５０】
受光制御回路２６から所定のスイッチ素子をオンさせるための駆動信号が順次出力されると、各受光回路２７は、駆動信号に基づいて作動し、例えば受光器２０のコントローラ３０側の受光素子２４から反対側の受光素子２４へと順次に駆動信号を出力するといった動作を短い周期で繰り返す。各受光回路２７のスイッチ素子は、常にはオフ状態となっており、受光制御回路２６から与えられる駆動信号によりオンしたスイッチ素子に接続された受光素子２４の受光信号が前記クロックパルス信号に同期して、受光制御回路２６に順次取り込まれるようになっている。
【００５１】
つまり、コントローラ３０は、投光器１０及び受光器２０の長手方向（図２中、上下方向）に整列配置された各投光素子１４のうち所定の順位の投光素子１４が光信号を投光した瞬間に、その投光素子１４と同じ順位に配された受光素子２４に接続されたスイッチ素子のみをオンさせる。これにより、各受光素子２４が正規の相手方の投光素子１４からの光信号を受信したときにのみ、その受光素子２４から出力された受光信号が受光制御回路２６に取り込まれ、コントローラ３０に出力される。
【００５２】
コントローラ３０は、各受光素子２４から出力された受光信号に基づいて上記検出エリアに入る被検出体の有無を判定し、その判定結果に応じた検出信号Ｄを加工機などの外部装置（図示略）に出力する。なお、被検出体の有無の判定は、コントローラ３０ではなく、受光制御回路２６で行う構成としてもよい。この場合は、受光制御回路２６から検出信号Ｄが直接外部装置に出力される構成としてもよい。外部装置は検出信号Ｄが出力されると停止するようになっており、安全状態に保持される。
【００５３】
また、第１投光ユニット１１ａには、異常検出手段及び異常情報取得手段としてのエラー検出回路１８が設けられている。エラー検出回路１８は、投光ユニット１１ａに設けられた投光回路１７に接続されている。また、エラー検出回路１８には、上記のエラー表示灯１５と識別情報記憶手段としての記憶部１９とが接続されている。エラー検出回路１８は、「シフトレジスタ（アナログスイッチ）の異常検出（破損チェック）」、「電源回路の異常検出（破損チェック）」、等の異常を検出する。
【００５４】
第２投光ユニット１１ｂ及び第３投光ユニット１１ｃは、第１投光ユニット１１ａと同様に、エラー検出回路１８と記憶部１９とをそれぞれ備えている。各ユニット１１ａ〜１１ｃは、概略的に同じ構成であるため、第１投光ユニット１１ａの構成を説明する。
【００５５】
第１投光ユニット１１ａの記憶部１９には、投光回路１７から入力される情報と異常状態とが関連付けて記憶されており、更には異常状態に対応するコード番号が記憶されている。また、記憶部１９には、投光ユニット１１ａ自身を識別するための識別情報が記憶されている。識別情報は、異常が発生したユニットを特定するために必要な情報を含み、本実施形態において、識別情報は、コントローラ３０から投光ユニット１１ａの接続位置を示す情報（位置情報）と、当該ユニットが投光ユニットであることを示す情報（例えば機種名であり、以下ユニット情報という）とを含む。各投光ユニット１１ａ〜１１ｃは、所定期間（例えば電源投入後の初期値を設定する期間）において、コントローラ３０に対して接続された順番を示す位置情報を取得する。ユニット情報は、予め設定されている。各投光ユニット１１ａ〜１１ｃは、位置情報及びユニット情報を識別情報として記憶部１９に記憶する。
【００５６】
位置情報の取得例を説明する。コントローラ３０には第１投光ユニット１１ａが接続されている。この第１投光ユニット１１ａに備えられた投光制御回路１６は、各投光ユニット１１ａ〜１１ｃの投光回路１７が接続された順番を取得するためのデータ（例えば「１」）を出力する。第１投光ユニット１１ａの投光回路１７は、このデータを自身が接続された順番（位置情報）として記憶部１９に記憶するとともに、そのデータに「１」を加算したデータを出力する。第２投光ユニット１１ｂの投光回路１７は、第１投光ユニット１１ａの投光回路１７から出力されたデータを入力すると、第１投光ユニット１１ａに受信を示すデータを送信する。更に、第２投光ユニット１１ｂの投光回路１７は、入力したデータを自身が接続された順番（位置情報）として記憶部１９に記憶するとともに、そのデータに「１」を加算したデータを出力する。
【００５７】
同様に、第３投光ユニット１１ｃの投光回路１７は、第２投光ユニット１１ｂの投光回路１７から出力されたデータを入力すると、第２投光ユニット１１ｂに受信を示すデータを送信する。更に、第３投光ユニット１１ｃの投光回路１７は、入力したデータを自身が接続された順番（位置情報）として記憶部１９に記憶するとともに、そのデータに「１」を加算したデータを出力する。そして、第３投光ユニット１１ｃの投光回路１７は、受信を示すデータが所定期間入力されない場合に、自身が末端のユニットであることを認識する。
【００５８】
上記の処理により、第１投光ユニット１１ａの記憶部１９には、該投光ユニット１１ａの接続位置を示す位置情報（＝「１」）が記憶される。同様に、第２投光ユニット１１ｂの記憶部１９には、該投光ユニット１１ｂの接続位置を示す位置情報（＝「２」）が記憶され、第３投光ユニット１１ｃの記憶部１９には、該投光ユニット１１ｃの接続位置を示す位置情報（＝「３」）が記憶される。
【００５９】
このように、各投光ユニット１１ａ〜１１ｃの投光回路１７は、投光制御回路１６から入力された順次入力されたデータに基づいて、それぞれが備えられた投光ユニット１１ａ〜１１ｃの位置情報を取得する。
【００６０】
投光ユニット１１ａのエラー表示灯１５は例えば７セグメントディスプレイからなり、エラー検出回路１８により検出された異常状態に応じた表示態様（例えば、異常状態を示すコード番号「１」〜「７」、「Ｃ」、「Ｆ」等のデジタル表示や点滅等）で異常状態の発生及びその種類を報知する。
【００６１】
エラー検出回路１８は、投光回路１７から情報を入力すると、その情報に基づいて記憶部１９から異常状態及びその異常状態に対応するコード番号を読み出すとともに、自身の識別情報を読み出し、その識別情報とコード番号とを関連付けて投光回路１７を介して出力する。
【００６２】
詳述すると、エラー検出回路１８は、投光回路１７から情報を入力すると、記憶部１９からその情報に対応する異常状態を取得する。例えば、エラー検出回路１８は、各投光回路１７のスイッチ素子をオン状態としても投光素子１４が起動されない（投光素子１４に設けられたモニタ素子の出力信号により起動の有無を判断する）場合、その情報に基づいて記憶部１９から「特定の投光素子１４が破損している」という異常状態とその異常状態に対応するコード番号を読み出す。さらに、エラー検出回路１８は、自身の識別情報を読み出し、その識別情報とコード番号とを関連付けて出力する。投光回路１７は、識別情報及びコード番号を外部に出力する。
【００６３】
エラー検出回路１８は自身における異常発生を検出すると、記憶部１９から異常状態に対応するコード番号及び識別情報を読み出すとともに、異常状態に応じた表示態様で異常状態の発生及びその種類を報知する。
【００６４】
各受光ユニット２１ａ〜２１ｃは、各投光ユニット１１ａ〜１１ｃと同様に、異常検出手段及び異常情報取得手段としてのエラー検出回路２８と、エラー検出回路２８に接続された識別情報記憶手段としての記憶部２９と、をそれぞれ備えている。エラー検出回路２８は、「シフトレジスタ（アナログスイッチ）の異常検出（破損チェック）」、「電源回路の異常検出（破損チェック）」、「出力トランジスタ（出力スイッチング素子）の異常検出（破損チェック）」、等の異常を検出する。
【００６５】
記憶部２９には、受光回路２７から入力される情報と異常状態とが関連付けて記憶されており、更には異常状態に対応するコード番号が記憶されている。また、記憶部２９には、各受光ユニット２１ａ〜２１ｃを識別するための識別情報が記憶されている。本実施形態において、識別情報は、投光ユニット１１ａ〜１１ｃと同様に、コントローラ３０から投光ユニット１１ａの接続位置を示す情報（位置情報）と、自身が投光ユニットであることを示すユニット情報とを含む。各受光ユニット２１ａ〜２１ｃは、所定期間（例えば電源投入後の初期値を設定する期間）において、コントローラ３０に対して接続された順番を示す位置情報を取得し、位置情報及びユニット情報を識別情報として記憶部１９に記憶する。
【００６６】
各受光ユニット２１ａ〜２１ｃのエラー検出回路２８は、自身における異常発生を検出すると、記憶部２９から異常状態に対応するコード番号及び識別情報を読み出すとともに、異常状態に応じた表示態様で異常状態の発生及びその種類を報知する。例えば、エラー検出回路２８は、受光素子２４で検出された受光量が予め設定された閾値よりも低いことを検出すると、記憶部２９から「受光素子２４が劣化している」という異常状態とその異常状態に対応するコード番号を読み出す。さらに、エラー検出回路２８は、自身の識別情報を読み出し、その識別情報とコード番号とを関連付けて受光回路２７を介して外部に出力する。
【００６７】
第３受光ユニット２１ｃの受光回路２７には、前記無線通信回路４が接続されている。無線通信回路４は、エラー検出回路２８から受光回路２７を介して出力されたコード番号と識別情報とを、周波数がＧＨｚ帯（例えば２．４ＧＨｚ）の無線通信にて外部に送信するようになっている。各投光ユニット１１ａ〜１１ｃの投光回路１７、各受光ユニット２１ａ〜２１ｃの受光回路２７及びコントローラ３０は、他のユニットから出力された信号を伝達する機能を有している。従って、第３投光ユニット１１ｃの投光回路１７から出力されたコード番号及び識別情報は、第２投光ユニット１１ｂ、第１投光ユニット１１ａ、コントローラ３０、第１受光ユニット２１ａ、第２受光ユニット２１ｂを介して第３受光ユニット２１ｃの受光回路２７に伝達される。このように、本実施形態では、第３受光ユニット２１ｃの受光回路２７に、各ユニット１１ａ〜１１ｃ，２１ａ〜２１ｃにて発生した異常に対応するコード番号及び各ユニットの識別番号が伝達される。そして、無線通信回路４は、各投光ユニット１１ａ〜１１ｃ及び受光ユニット２１ａ〜２１ｃのエラー検出回路１８，２８が取得した異常状態（コード番号）と識別情報とを一括して送信する。
【００６８】
図１に示すように、異常特定装置３は、ＣＰＵ、ＲＡＭ、ＲＯＭ等を有するパーソナルコンピュータよりなり、前記多光軸光電センサ２の無線通信回路４と無線通信可能な通信部５を備えている。また、異常特定装置３は、液晶ディスプレイなどの表示装置６を備えている。表示装置６には、通信部５が無線通信回路４から受信した情報に基づいて、多光軸光電センサ２のエラー情報を示す画像が表示される。
【００６９】
異常特定装置３は、通信装置としての通信部５を介して多光軸光電センサ２に要求信号を送信する。多光軸光電センサ２の受光ユニット２１ｃに設けられた無線通信回路４は、その要求信号に応答して異常状態に応じた情報を送信する。つまり、本実施形態では、異常特定装置３が多光軸光電センサ２の上位装置として機能する。複数の多光軸光電センサ２を使用している場合、それぞれの無線通信回路４が同時に異常状態の情報を同時に送信すると、それらを受信する通信部５では、それぞれを区別して受け取ることができないため、正常な通信を行うことができない。従って、上位装置である異常特定装置３から各無線通信回路４に対して順次要求信号を送信することにより、複数の多光軸光電センサ２のそれぞれに発生する異常に対応する情報を確実に受け取ることができるようになる。
【００７０】
図２に示すように、異常特定装置３の制御部４１には前記通信部５及び表示装置６が接続されている。制御部４１は、ハードディスクなどの記憶装置４２に記憶された多光軸光電センサ２の異常を特定するためのプログラムを実行する。なお、このプログラムは、フレキシブルディスクやＣＤ−ＲＯＭなどのコンピュータ読み取り可能な可搬型記録媒体Ｍに格納されて提供される。
【００７１】
前記記憶装置４２には、エラー情報記憶部４２ａが設けられている。エラー情報記憶部４２ａには、多光軸光電センサ２での異常箇所を含むエラー情報が、異常状態を示すコード番号に関連付けられて記憶されている。本実施の形態では、エラー情報記憶部４２ａには、複数種類の機種の多光軸光電センサ２（例えば、異常内容をデジタル表示により報知するものと点滅により報知するもの）での異常箇所を含むエラー情報が、多光軸光電センサ２の種類ごとに記憶されている。尚、エラー情報記憶部４２ａは、記憶装置４２に記憶されたファイルとして制御部４１からアクセスされるものである。
【００７２】
また、本実施の形態では、エラー情報には、各投光ユニット１１ａ〜１１ｃ若しくは受光ユニット２１ａ〜２１ｃが異常状態となった異常原因と、各投光ユニット１１ａ〜１１ｃ若しくは受光ユニット２１ａ〜２１ｃの異常状態を解消するための対処方法とが含まれている。異常原因及び対処方法は、テキストにて表示される。また、エラー情報には、多光軸光電センサ２の動作異常に対して有効な順（例えば、より迅速に動作異常に対応できる順）に優先度が設定されている。制御部４１は、通信部５にて受信した各投光ユニット１１ａ〜１１ｃ若しくは受光ユニット２１ａ〜２１ｃの異常状態を示すコード番号に基づいて、エラー情報記憶部４２ａからエラー情報を読み出し、その読み出したエラー情報を識別情報（位置情報及びユニット情報）と関連付けて外部に報知する。このとき、制御部４１は各投光ユニット１１ａ〜１１ｃ及び受光ユニット２１ａ〜２１ｃの異常状態の配列に基づいて、多光軸光電センサ２における異常内容を特定することも可能である。
【００７３】
異常内容を特定する処理を詳述する。制御部４１は、まず、図３に示す異常特定画面５０を表示するための画像データを生成し、表示装置６に出力する。
異常特定画面５０の上部中央部分に設けられた機種名表示欄５１には、多光軸光電センサ２の無線通信回路４から送信された情報（ユニット情報）に基づいて多光軸光電センサ２の種類（機種名）が表示される。
【００７４】
異常特定画面５０の中央部分に設けられた左部分には投光器１０の接続状態が図式的に表示され、接続状態表示部５２の右部分には、受光器２０の接続状態が図式的に表示される。制御部４１は、通信部５（図１，図２参照）において受信した情報に基づいて、多光軸光電センサ２に対応する数の投光ユニット１１ａ〜１１ｃ及び受光ユニット２１ａ〜２１ｃが直列接続された画像を、接続状態表示部５２に表示させる。
【００７５】
異常特定画面５０において接続状態表示部５２の両側には、異常報知手段を構成する異常状態表示部５３ａ，５３ｂが設けられている。制御部４１は、受信した情報に基づいて、多光軸光電センサ２の各投光ユニット１１ａ〜１１ｃ及び受光ユニット２１ａ〜２１ｃにおける異常状態を、投光ユニット１１ａ〜１１ｃ及び受光ユニット２１ａ〜２１ｃ毎に表示させる。
【００７６】
異常特定画面５０の接続状態表示部５２の右下側には、異常報知手段を構成するエラー原因表示部５４が設けられ、エラー原因表示部５４の下側には、異常報知手段を構成する対処方法表示部５５が設けられている。制御部４１は、受信した情報、即ち、各投光ユニット１１ａ〜１１ｃ及び受光ユニット２１ａ〜２１ｃの異常状態に対応するコード番号と識別番号と接続順位とに基づいて、エラー情報記憶部４２ａからエラー情報を取得し、該エラー情報を外部に報知する。
【００７７】
詳述すると、制御部４１は、取得したエラー情報に基づいて、接続状態表示部５２に表示された多光軸光電センサ２の異常箇所に対応する部分を点滅させて報知する。また、制御部４１は、取得したエラー情報に基づいて、異常状態である各投光ユニット１１ａ〜１１ｃ若しくは受光ユニット２１ａ〜２１ｃを含む多光軸光電センサ２が異常状態となった異常原因をエラー原因表示部５４に表示させる。また、制御部４１は、取得したエラー情報に基づいて、異常状態である各投光ユニット１１ａ〜１１ｃ若しくは受光ユニット２１ａ〜２１ｃを含む多光軸光電センサ２の異常状態を解消するための対処方法を対処方法表示部５５に表示させる。なお、異常特定画面５０の右上端部には、入力情報を取り消すためのクリアボタン５６が設けられている。
【００７８】
接続状態表示部５２の左下側には、異常報知手段としての表示切替え部５７が設けられており、入力されたコード番号、識別情報及び接続順位に基づいて複数のエラー情報を取得した場合、該エラー情報を複数のエラー情報毎に設定された優先度に関連付けて報知するようになっている。詳述すると、表示切替え部５７には、カーソルボタン５７ａ，５７ｂが設けられており、制御部４１は、入力されたコード番号、識別情報及び接続順位に基づいて複数のエラー情報を取得した場合、カーソルボタン５７ａ，５７ｂの操作に応じて、エラー情報を優先度の高い順に切替えて報知する。また、表示切替え部５７には、各エラー情報に対応する番号が表示されるようになっており、作業者がその番号に基づいて例えば対応表などから１つのエラー情報を得ることができるようにもなっている。また、異常特定画面５０の右下端部には終了ボタン５８が設けられており、この終了ボタン５８が操作されると、制御部４１は本処理を終了する。
【００７９】
このような多光軸光電センサシステム１において、多光軸光電センサ２で異常状態が発生すると、多光軸光電センサ２の無線通信回路４から、各投光ユニット１１ａ〜１１ｃ若しくは受光ユニット２１ａ〜２１ｃの異常状態を示すコード番号と識別情報と接続位置とが関連付けられて送信される。
【００８０】
その情報を異常特定装置３の通信部５が受信すると、異常特定画面５０の接続状態表示部５２に表示された多光軸光電センサ２の異常箇所に対応する部分が点滅される。また、異常特定画面５０のエラー原因表示部５４に、各投光ユニット１１ａ〜１１ｃ若しくは受光ユニット２１ａ〜２１ｃが異常状態となった原因が表示され、対処方法表示部５５に各投光ユニット１１ａ〜１１ｃ若しくは受光ユニット２１ａ〜２１ｃの異常状態を解消するための対処方法が表示される。
【００８１】
例えば、投光器１０において、第１投光ユニット１１ａの各投光素子１４は起動されるが、第２投光ユニット１１ｂ及び第３投光ユニット１１ｃの各投光素子１４が起動されないという異常状態が発生した場合、制御部４１は、通信部５からその情報を入力すると、異常状態を示すコード番号を異常状態表示部５３ａに表示させる。そして、投光器１０におけるその異常状態の配列に基づいて、第１投光ユニット１１ａと第２投光ユニット１１ｂとの間のケーブル１０ｂの接続に何らかの異常があると判断し、接続状態表示部５２の対応箇所を点滅させるとともに、その推定される異常原因をエラー原因表示部５４に表示させ、対処方法を対処方法表示部５５に表示させる。
【００８２】
従って、多光軸光電センサ２において異常状態が発生すると、異常特定装置３に自動的にその異常箇所、異常内容及びその対処方法が表示される。
次に、本実施形態の特徴的な作用効果を記載する。
【００８３】
（１）多光軸光電センサ２は、第３受光ユニット２１ｃのキャップ２３ｃに、各投光ユニット１１ａ〜１１ｃ若しくは受光ユニット２１ａ〜２１ｃの異常状態と識別情報とを関連付けて外部に送信する無線通信回路４が設けられているため、特別な配線をすることなく多光軸光電センサ２に生じた異常状態の内容が異常特定装置３に送信される。そのため、簡易な構成で、多光軸光電センサ２の異常を容易に且つ確実に特定することが可能となる。
【００８４】
（２）多光軸光電センサ２は、各投光ユニット１１ａ〜１１ｃ及び受光ユニット２１ａ〜２１ｃの異常状態（コード番号）を識別情報と関連付けて外部に送信する。識別情報には、異常が発生したユニットが接続された位置を示す位置情報が含まれる。そのため、その情報を受信した異常特定装置３は、多光軸光電センサ２の各投光ユニット１１ａ〜１１ｃ及び受光ユニット２１ａ〜２１ｃの配列に基づいて異常が発生したユニットを特定することが可能となる。
【００８５】
（３）多光軸光電センサ２は、無線通信回路４が、直列接続された受光ユニット２１ａ〜２１ｃの終端部となる受光ユニット２１ｃのキャップ２３ｃに設けられているため、配線がなされずスペースが確保された部分に設けられることとなり効率がよい。
【００８６】
（４）多光軸光電センサ２は、本体部２２から着脱可能なキャップ２３ｃに無線通信回路４が設けられているため、無線通信回路４の交換が容易である。このため、無線通信回路４の故障時の交換や仕様変更のための交換を容易に行うことができる。
【００８７】
（５）  尚、本実施形態において、前記無線通信回路４は、送信する信号の周波数帯域がＧＨｚオーダの高周波周波数帯域の信号により異常状態に基づく情報を送信するように構成されている。送信信号の周波数帯域を低くすると、送信する信号強度を高くする必要があり、多くの電力を送信に使用しなければならない。本実施形態のように、高周波周波数帯の信号を用いることにより、低い出力によって情報を送信することができる。また、低い周波数帯域の信号を用いる場合、各ユニットにおける検出動作が誤動作を起こす場合があり、各ユニットにおける検出動作のタイミングと無線通信のタイミングとをずらす等の対策を行う必要がある。このため、本実施形態のように、高周波周波数帯の信号を用いることにより、上記の対策を行うことなく多光軸光電センサユニットにおける検出動作の誤動作を抑えることができる。
【００８８】
（６）異常特定装置３は、通信装置としての通信部５を介して多光軸光電センサ２に要求信号を送信する。多光軸光電センサ２の受光ユニット２１ｃに設けられた無線通信回路４は、その要求信号に応答して異常状態に応じた情報を送信する。複数の多光軸光電センサ２を使用している場合、それぞれの無線通信回路４が同時に異常状態の情報を同時に送信すると、それらを受信する通信部５では、それぞれを区別して受け取ることができないため、正常な通信を行うことができない。従って、上位装置である異常特定装置３から各無線通信回路４に対して順次要求信号を送信することにより、複数の多光軸光電センサ２のそれぞれに発生する異常に対応する情報を確実に受け取ることができるようになる。
【００８９】
尚、本発明の実施形態は、以下のように変更してもよい。
・上記実施形態において、多光軸光電センサ２は、投光器１０及び受光器２０が投光ユニット１１ａ及び受光ユニット２１ａのみを備えた構成としてもよい。その場合、例えば第１受光ユニット２１ａのコントローラ３０に接続された側と反対側のキャップ２３ａに無線通信回路４を設ければよい。また、その場合、無線通信回路４からは、投光ユニット１１ａ若しくは受光ユニット２１ａの異常状態と識別情報とが関連付けられて送信されればよい。そのように構成しても、無線通信回路４から送信された情報に基づいて、多光軸光電センサ２の異常内容が特定される。
【００９０】
・上記実施の形態では、無線通信回路４は受光ユニット２１ｃの終端側のキャップ２３ｃに設けられているが、無線通信回路４をキャップ１３ａ〜１３ｃ，２３ａ〜２３ｃの何処に設けてもよい。
【００９１】
また、上記実施の形態では、無線通信回路４から各投光ユニット１１ａ〜１１ｃ及び受光ユニット２１ａ〜２１ｃの情報が一括で送信されるものとしたが、無線通信回路４を各ユニットに設け、各ユニットの情報がそれぞれの無線通信回路４から送信されるように構成してもよい。そのように構成すると、異常特定装置３がその情報を受信することで、例えばユニット間のコネクタ外れという異常内容を特定することが可能となる。
【００９２】
・上記実施形態では、識別情報として各投光ユニット１１ａ〜１１ｃ、各受光ユニット２１ａ〜２１ｃの接続位置を示す位置情報を所定期間において取得して記憶部１９に記憶するようにしたが、予め位置情報等の識別情報を記憶部１９に記憶するようにしてもよい。
【００９３】
・上記実施形態では、識別情報として各投光ユニット１１ａ〜１１ｃ、各受光ユニット２１ａ〜２１ｃの接続位置を示す位置情報を記憶部１９に記憶するようにしたが、識別情報として、投光ユニット１１ａの製造番号を記憶するようにしてもよい。
【００９４】
・上記実施形態では、識別情報を記憶部１９に記憶するようにしたが、ＤＩＰスイッチ等を投光回路１７、受光回路２７に接続し、ＤＩＰスイッチ等により設定した識別情報を投光回路１７、受光回路２７が読み込むようにしてもよい。
【００９５】
・上記実施形態では、識別情報に含まれる位置情報を各ユニットの接続位置としたが、各ユニットの接続位置に加えて、異常が発生したサブユニットの位置を識別情報に含めるようにしてもよい。多光軸光電センサの投光ユニット及び受光ユニットには、上記の投光ユニット１１ａ〜１１ｃ，受光ユニット２１ａ〜２１ｃと同様に構成されるメインユニットと、エラー表示灯１５，２５を持たないサブユニットとを、コ字状に形成された保護ケース内に挿入して直列接続することにより構成されるものがある。メインユニット及びサブユニットは、端部が互いに接続可能に構成されるとともに、それぞれ自身に発生する複数種類の異常を検出可能に構成されている。この場合、メインユニット及びサブユニットのそれぞれが多光軸光電センサユニットに対応する。このような機種の場合、各ユニットの位置情報のみならず、メインユニット，サブユニットの位置情報を識別情報に含めることにより、異常の種類を容易に特定することができるとともに、より詳細に異常が発生したユニットを特定することを容易に行うことができるようになる。
【００９６】
・上記実施形態では、異常特定画面５０は多光軸光電センサ２の接続状態や各ユニットの異常状態を示すコード番号を表示するものしたが、図４に示すように、エラー原因表示部６１と対処方法表示部６２のみを表示する異常特定画面６０としてもよい。また、その場合、エラー原因表示部６１又は対処方法表示部６２の何れか一方を省略してもよい。
【００９７】
・上記実施形態では、各投光ユニット１１ａ〜１１ｃ及び受光ユニット２１ａ〜２１ｃでの異常状態をコード番号に変換して無線通信回路４から送信させたが、異常状態をコード番号に変換せずそのまま送信させてもよい。
【００９８】
・上記実施形態では、異常原因を表示するエラー原因表示部５４と対処方法を表示する対処方法表示部５５とを設けたが、何れか一方を省略してもよい。また、異常状態である投光ユニット１１ａ〜１１ｃ若しくは受光ユニット２１ａ〜２１ｃ（多光軸光電センサ２）の異常状態がテキストで表示される異常内容表示部を設けてもよい。
【００９９】
・上記実施形態では、多光軸光電センサ２は、最大３つの投光ユニット１１ａ〜１１ｃ若しくは受光ユニット２１ａ〜２１ｃから構成されるとしたが、２つでもよく、また、４つ以上であってもよい。また、上記実施形態では、投光ユニット１１ａ〜１１ｃ及び受光ユニット２１ａ〜２１ｃには投光素子１４若しくは受光素子２４が４つずつ設けられているが、その数は適宜変更可能である。
【０１００】
・上記実施形態では、各ユニット１１ａ〜１１ｃ，２１ａ〜２１ｃに備えたエラー表示灯１５，２５により異常の発生を外部に報知しユーザが発生したユニットを確認することができるようにしたが、音等により異常の発生を報知するようにしてもよい。
【図面の簡単な説明】
【０１０１】
【図１】多光軸光電センサシステムの概略構成図。
【図２】多光軸光電センサシステムの電気的構成を説明するブロック図。
【図３】異常特定画面の説明図。
【図４】異常特定画面の説明図。
【符号の説明】
【０１０２】
１…多光軸光電センサシステム、２…多光軸光電センサ、３…異常特定装置、４…無線送信手段，無線受信手段としての無線通信回路、５…受信手段としての通信部、１１ａ〜１１ｃ…多光軸光電センサユニットとしての投光ユニット、１２，２２…本体部、１３ａ〜１３ｃ，２３ａ〜２３ｃ…端末部材としてのキャップ、１４…光学素子としての投光素子、１８，２８…異常検出手段及び異常情報取得手段としてのエラー検出回路、１９，２９…識別情報記憶手段としての記憶部、２１ａ〜２１ｃ…多光軸光電センサユニットとしての受光ユニット、２４…光学素子としての受光素子、４１…異常報知手段を構成する制御部、４２ａ…エラー情報記憶手段としての記憶部、５０，６０…異常報知手段を構成する異常特定画面、５２…異常報知手段を構成する接続状態表示部、５３ａ，５３ｂ…異常報知手段としての異常状態表示部、５４，６１…異常状態放報知手段を構成するエラー原因表示部、５５，６２…異常報知手段を構成する対処方法表示部、５７…異常報知手段を構成する表示切替え部。
【図１】
0005184027.tif 000002
【図２】
0005184027.tif 000003
【図３】
0005184027.tif 000004
【図４】
0005184027.tif 000005